(57)【特許請求の範囲】
【請求項１】
液晶表示パネルと、
エッジライト方式のバックライトを構成するための導光板と、
駆動回路が配置された回路基板と、
前記導光板の第１側面に対向するように配置された複数の第１発光ダイオードと、
前記導光板の第１側面に対向するように配置されて前記複数の第１発光ダイオードと電気的に接続され、且つ前記回路基板に電気的に接続するためのケーブルが接続される第１コネクタと、
前記複数の第１発光ダイオード及び前記第１コネクタが搭載された第１基板と、
前記導光板の前記第１側面とは反対側の第２側面に対向するように配置された複数の第２発光ダイオードと、
前記導光板の前記第２側面に対向するように配置されて前記複数の第２発光ダイオードと電気的に接続され、且つ前記回路基板に電気的に接続するためのケーブルが接続される第２コネクタと、
前記複数の第２発光ダイオード及び前記第２コネクタが搭載された第２基板と、
を有し、
前記第１コネクタは、いずれかの前記第２発光ダイオードと対向するように配置され、
前記第２コネクタは、いずれかの前記第１発光ダイオードと対向するように配置され、
前記第１コネクタと前記第２コネクタとは対向しない位置に配置されていることを特徴とする液晶表示装置。
【請求項２】
請求項１に記載された液晶表示装置において、
前記複数の第１発光ダイオードは、前記第１側面の長さ方向に一列で並ぶ前記第１発光ダイオードと、前記第１コネクタの隣で前記導光板の厚み方向に複数段で並ぶ前記第１発光ダイオードと、を含み、
前記複数の第２発光ダイオードは、前記第２側面の長さ方向に一列で並ぶ前記第２発光ダイオードと、前記第２コネクタの隣で前記導光板の厚み方向に複数段で並ぶ前記第２発光ダイオードと、を含むことを特徴とする液晶表示装置。
【請求項３】
請求項１又は２に記載された液晶表示装置において、
前記第１コネクタよりも前記第１側面の両端部側のそれぞれに、少なくとも１つの前記第１発光ダイオードが配置され、
前記第２コネクタよりも前記第２側面の両端部側のそれぞれに、少なくとも１つの前記第２発光ダイオードが配置されていることを特徴とする液晶表示装置。
【請求項４】
請求項１から３のいずれか１項に記載された液晶表示装置において、
前記第１基板は、前記第１側面の長さ方向の途中で、複数の第１分割基板に分割され、
前記第２基板は、前記第２側面の長さ方向の途中で、複数の第２分割基板に分割されていることを特徴とする液晶表示装置。
【請求項５】
請求項４に記載された液晶表示装置において、
一対の前記第１分割基板のそれぞれに前記第１コネクタが搭載され、
一方の前記第１分割基板に搭載された前記第１コネクタと、他方の前記第１分割基板に搭載された前記第１コネクタとの間に、少なくとも１つの前記第１発光ダイオードが配置され、
一対の前記第２分割基板のそれぞれに前記第２コネクタが搭載され、
一方の前記第２分割基板に搭載された前記第２コネクタと、他方の前記第２分割基板に搭載された前記第２コネクタとの間に、少なくとも１つの前記第２発光ダイオードが配置されていることを特徴とする液晶表示装置。
【発明の詳細な説明】
【技術分野】
【０００１】
本発明は、液晶表示装置に関する。
【背景技術】
【０００２】
液晶表示装置のバックライトの光源として発光ダイオードが使用されている（特許文献１）。発光ダイオードは、サイドライト方式又はエッジライト方式のバックライトに使用され、導光板の側面に複数の発光ダイオードが並べられ、点光源としての発光ダイオードを面光源に変換している。そして、発光面での輝度を均一化するために、複数の発光ダイオードは等ピッチで配列されている。
【先行技術文献】
【特許文献】
【０００３】
【特許文献１】特開２００２−７５０３８号公報
【発明の概要】
【発明が解決しようとする課題】
【０００４】
発光ダイオードは、基板に搭載されており、コネクタでケーブルに接続されている。したがって、コネクタが配置された領域では発光ダイオードが存在しないため、暗くなるという問題があった。
【０００５】
本発明は、バックライトの輝度を均一化することを目的とする。
【課題を解決するための手段】
【０００６】
（１）本発明に係る液晶表示装置は、液晶表示パネルと、エッジライト方式のバックライトを構成するための導光板と、前記導光板の第１側面に対向するように配置された複数の第１発光ダイオードと、前記導光板の第１側面に対向するように配置されて前記複数の第１発光ダイオードと電気的に接続する第１コネクタと、前記複数の第１発光ダイオード及び前記第１コネクタが搭載された第１基板と、前記導光板の前記第１側面とは反対側の第２側面に対向するように配置された複数の第２発光ダイオードと、前記導光板の前記第２側面に対向するように配置されて前記複数の第２発光ダイオードと電気的に接続する第２コネクタと、前記複数の第２発光ダイオード及び前記第２コネクタが搭載された第２基板と、を有し、前記第１コネクタは、いずれかの前記第２発光ダイオードと対向するように配置され、前記第２コネクタは、いずれかの前記第１発光ダイオードと対向するように配置され、前記第１コネクタと前記第２コネクタとは対向しない位置に配置されていることを特徴とする。本発明によれば、第１コネクタと対向して第２発光ダイオードがあり、第２コネクタと対向して第１発光ダイオードがあるため、明るさを維持することができるので、バックライトの輝度を均一化することができる。
【０００７】
（２）（１）に記載された液晶表示装置において、前記複数の第１発光ダイオードは、前記第１側面の長さ方向に一列で並ぶ前記第１発光ダイオードと、前記第１コネクタの隣で前記導光板の厚み方向に複数段で並ぶ前記第１発光ダイオードと、を含み、前記複数の第２発光ダイオードは、前記第２側面の長さ方向に一列で並ぶ前記第２発光ダイオードと、前記第２コネクタの隣で前記導光板の厚み方向に複数段で並ぶ前記第２発光ダイオードと、を含むことを特徴としてもよい。
【０００８】
（３）（１）又は（２）に記載された液晶表示装置において、前記第１コネクタよりも前記第１側面の両端部側のそれぞれに、少なくとも１つの前記第１発光ダイオードが配置され、前記第２コネクタよりも前記第２側面の両端部側のそれぞれに、少なくとも１つの前記第２発光ダイオードが配置されていることを特徴としてもよい。
【０００９】
（４）（１）から（３）のいずれか１項に記載された液晶表示装置において、前記第１基板は、前記第１側面の長さ方向の途中で、複数の第１分割基板に分割され、前記第２基板は、前記第２側面の長さ方向の途中で、複数の第２分割基板に分割されていることを特徴としてもよい。
【００１０】
（５）（４）に記載された液晶表示装置において、一対の前記第１分割基板のそれぞれに前記第１コネクタが搭載され、一方の前記第１分割基板に搭載された前記第１コネクタと、他方の前記第１分割基板に搭載された前記第１コネクタとの間に、少なくとも１つの前記第１発光ダイオードが配置され、一対の前記第２分割基板のそれぞれに前記第２コネクタが搭載され、一方の前記第２分割基板に搭載された前記第２コネクタと、他方の前記第２分割基板に搭載された前記第２コネクタとの間に、少なくとも１つの前記第２発光ダイオードが配置されていることを特徴としてもよい。
【図面の簡単な説明】
【００１１】
【図１】本発明の実施形態に係る液晶表示装置の平面図である。
【図２】図１に示す液晶表示装置のII−II線断面の拡大図である。
【図３】図１に示す液晶表示装置から上フレーム及び液晶表示パネルを取り外した構造を示す図である。
【図４】図３に示す液晶表示装置の一点鎖線で示す部分の拡大図である。
【図５】下フレームの内部側を示す図である。
【図６】実施形態の変形例に係る液晶表示装置の縦断面図である。
【図７】実施形態の変形例に係る液晶表示装置の第１基板の拡大図である。
【発明を実施するための形態】
【００１２】
以下、本発明の実施形態について、図面を参照して説明する。図１は、本発明の実施形態に係る液晶表示装置の平面図である。図２は、図１に示す液晶表示装置のII−II線断面の拡大図である。
【００１３】
液晶表示装置は、液晶表示パネル１０を有する。液晶表示パネル１０は、ガラス等からなる一対の基板とその間に挟まれた図示しない液晶を含む。液晶表示パネル１０は、両側にそれぞれ偏光板を有する。
【００１４】
液晶表示パネル１０の前面（表示側の面）の周縁部は、上フレーム１２によって保持されている。また、液晶表示パネル１０の背面（前面の反対側の面）の周縁部は、モールドフレーム１４によって保持されている。
【００１５】
図３は、図１に示す液晶表示装置から上フレーム及び液晶表示パネルを取り外した構造を示す図である。図４は、図３に示す液晶表示装置の一点鎖線で示す部分の拡大図である。
【００１６】
液晶表示装置は、エッジライト方式のバックライトを構成するための導光板１６を有する。導光板１６は、図２に示すように、液晶表示パネル１０に対向する表面と、表面の周囲に接続する側面（後述する第１側面２２及び第２側面２４を含む）を有する。導光板１６の液晶表示パネル１０とは反対側には反射シート１８が配置されている。導光板１６の側面から入射した光は、反射シート１８又は導光板１６の内部で反射して、液晶表示パネル１０と対向する表面から出射するようになっている。なお、導光板１６と液晶表示パネル１０の間には光学シート２０が配置されている。導光板１６の表面は矩形になっており、その一辺に沿った側面が第１側面２２であり、第１側面２２とは反対の側面が第２側面２４である。
【００１７】
液晶表示装置は、導光板１６の第１側面２２に対向するように配置された複数の第１発光ダイオード２６を有する。第１発光ダイオード２６は、点光源であり、導光板１６によって面光源に変換される。複数の第１発光ダイオード２６は、間隔をあけて配置されている。また、導光板１６の第１側面２２に対向するように第１コネクタ２８が配置されている。導光板１６には、第１コネクタ２８を避けるように切り欠き２９（第１側面２２の凹部）が形成されている。第１コネクタ２８は、複数の第１発光ダイオード２６と電気的に接続する。すなわち、第１発光ダイオード２６は第１コネクタ２８を介して電源に接続される。第１コネクタ２８よりも第１側面２２の両端部側のそれぞれに、少なくとも１つの第１発光ダイオード２６が配置されている。すなわち、第１コネクタ２８及び第１発光ダイオード２６のうち、第１側面２２の両端部に対向するのは第１発光ダイオード２６である。また、第１側面２２の中央部に第１コネクタ２８が配置されている。
【００１８】
複数の第１発光ダイオード２６及び第１コネクタ２８は、第１基板３０に搭載されている。第１基板３０は、第１側面２２の長さ方向の途中で、複数（図４の例では２つ）の第１分割基板３２に分割されている。図４には、一方の第１分割基板３２にのみ第１コネクタ２８が示されているが、一対の第１分割基板３２のそれぞれに第１コネクタ２８が搭載されている。一方の第１分割基板３２に搭載された第１コネクタ２８と、他方の第１分割基板３２に搭載された第１コネクタ２８との間に、少なくとも１つの第１発光ダイオード２６が配置されている。
【００１９】
液晶表示装置は、導光板１６の第２側面２４に対向するように配置された複数の第２発光ダイオード３４を有する。第２発光ダイオード３４は、点光源であり、導光板１６によって面光源に変換される。複数の第２発光ダイオード３４は、間隔をあけて配置されている。また、導光板１６の第２側面２４に対向するように第２コネクタ３６が配置されている。導光板１６には、第２コネクタ３６を避けるように切り欠き３７（第２側面２４の凹部）が形成されている。第２コネクタ３６は、複数の第２発光ダイオード３４と電気的に接続する。すなわち、第２発光ダイオード３４は第２コネクタ３６を介して電源に接続される。第２コネクタ３６よりも第２側面２４の両端部側のそれぞれに、少なくとも１つの第２発光ダイオード３４が配置されている。すなわち、第２コネクタ３６及び第２発光ダイオード３４のうち、第２側面２４の両端部に対向するのは第２発光ダイオード３４である。また、第２側面２４の中央部に第２コネクタ３６が配置されている。
【００２０】
複数の第２発光ダイオード３４及び第２コネクタ３６は、第２基板３８に搭載されている。第２基板３８は、第２側面２４の長さ方向の途中で、複数（図４の例では２つ）の第２分割基板４０に分割されている。図４には、一方の第２分割基板４０にのみ第２コネクタ３６が示されているが、一対の第２分割基板４０のそれぞれに第２コネクタ３６が搭載されている。一方の第２分割基板４０に搭載された第２コネクタ３６と、他方の第２分割基板４０に搭載された第２コネクタ３６との間に、少なくとも１つの第２発光ダイオード３４が配置されている。
【００２１】
第１コネクタ２８は、いずれかの第２発光ダイオード３４と対向するように配置されている。第２コネクタ３６は、いずれかの第１発光ダイオード２６と対向するように配置されている。すなわち、第１コネクタ２８と第２コネクタ３６とは対向しない位置に配置されている。
【００２２】
本実施形態によれば、第１コネクタ２８と対向して第２発光ダイオード３４があり、第２コネクタ３６と対向して第１発光ダイオード２６があるため、明るさを維持することができるので、バックライトの輝度を均一化することができる。
【００２３】
図５は、下フレームの内部側を示す図である。図２に示すように、導光板１６は下フレーム４２の内側に配置されている。下フレーム４２と上フレーム１２の間にモールドフレーム１４が配置されている。
【００２４】
下フレーム４２には、第１発光ダイオード２６及び第２発光ダイオード３４の駆動回路及び電源回路を有する第１回路基板４４と、タイミングコントローラ回路を有する第２回路基板４６と、信号回路を有する第３回路基板４８と、が取り付けられている。第１コネクタ２８及び第２コネクタ３６は、ケーブル５０を介して１個所にある出力コネクタ５２に接続され、出力コネクタ５２から第１回路基板４４に接続される。
【００２５】
本実施の形態では、第１コネクタ２８及び第２コネクタ３６が、それぞれ、第１側面２２又は第２側面２４の長さ方向に沿って中央に位置している。したがって、第１コネクタ２８及び第２コネクタ３６を第１側面２２又は第２側面２４の長さ方向の端部に配置するよりも、出力コネクタ５２まで配設するケーブル５０の長さを短くすることができる。
【００２６】
図６は、実施形態の変形例に係る液晶表示装置の縦断面図である。図７は、実施形態の変形例に係る液晶表示装置の第１基板の拡大図である。
【００２７】
本変形例では、図７に示すように、複数の第１発光ダイオードは、第１側面１２２の長さ方向に一列で並ぶ第１発光ダイオード１２６の他に、第１コネクタ１２８の隣で導光板１１６の厚み方向に複数段で並ぶ第１発光ダイオード１２７を含む。
【００２８】
同様に、図６に示すように、複数の第２発光ダイオードは、第２側面１２４の長さ方向に一列で並ぶ第２発光ダイオード（図示せず）の他に、第２コネクタ（図示せず）の隣で導光板１１６の厚み方向に複数段で並ぶ第２発光ダイオード１３４を含む。
【００２９】
本変形例によれば、導光板１１６の第１コネクタ１２８及び第２コネクタ（図示せず）と対向する位置は光源が無いため暗くなるため、その隣で第１発光ダイオード１２７又は第２発光ダイオード１３４を複数段で設けることで輝度を高めている。これにより輝度の均一性を図ることができる。その他の構成は上述した実施形態で説明した内容が該当する。
【００３０】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３１】
１０  液晶表示パネル、１２  上フレーム、１４  モールドフレーム、１６  導光板、１８  反射シート、２０  光学シート、２２  第１側面、２４  第２側面、２６  第１発光ダイオード、２８  第１コネクタ、２９  切り欠き、３０  第１基板、３２  第１分割基板、３４  第２発光ダイオード、３６  第２コネクタ、３７  切り欠き、３８  第２基板、４０  第２分割基板、４２  下フレーム、４４  第１回路基板、４６  第２回路基板、４８  第３回路基板、５０  ケーブル、５２  出力コネクタ、１１６  導光板、１２２  第１側面、１２４  第２側面、１２６  第１発光ダイオード、１２７  第１発光ダイオード、１２８  第１コネクタ、１３４  第２発光ダイオード。
【図１】
0005426456.tif 000002
【図２】
0005426456.tif 000003
【図３】
0005426456.tif 000004
【図４】
0005426456.tif 000005
【図５】
0005426456.tif 000006
【図６】
0005426456.tif 000007
【図７】
0005426456.tif 000008